【手続補正書】
【提出日】平成16年12月21日(2004.12.21)
【手続補正１】
【補正対象書類名】明細書
【補正対象項目名】発明の名称
【補正方法】変更
【補正の内容】
【発明の名称】番組編集システム
【手続補正２】
【補正対象書類名】明細書
【補正対象項目名】特許請求の範囲
【補正方法】変更
【補正の内容】
【特許請求の範囲】
【請求項１】
映像、音声若しくは文字又はそれらの組み合わせを収録した収録物の番組に関する番組情報を記憶する番組情報記憶手段と、ユーザに関するユーザ情報を記憶するユーザ情報記憶手段と、前記ユーザ以外の対象に関する他対象情報を記憶する他対象情報記憶手段とが利用可能となった場合に、前記番組情報記憶手段のなかから前記番組情報を検索し、検索により索出した番組情報に基づいて番組を編集するシステムであって、
前記ユーザ情報記憶手段のユーザ情報及び前記他対象情報記憶手段の他対象情報に基づいて前記番組情報記憶手段のなかから前記番組情報を検索する番組情報検索手段と、前記番組情報検索手段で索出した番組情報に基づいて前記ユーザへの提供番組を編集する番組編集手段とを備えることを特徴とする番組編集システム。
【請求項２】
請求項１において、
前記ユーザ情報及び前記他対象情報のどちらを優先的に考慮するかを示す優先度に関する優先度情報を取得する優先度情報取得手段を備え、
前記番組情報検索手段は、前記ユーザ情報記憶手段のユーザ情報、前記他対象情報記憶手段の他対象情報、及び前記優先度情報取得手段で取得した優先度情報に基づいて、前記番組情報記憶手段のなかから前記番組情報を検索するようになっていることを特徴とする番組編集システム。
【請求項３】
請求項２において、
番組の編集方針に関する編集情報を取得する編集情報取得手段を備え、
前記番組情報検索手段は、さらに、前記編集情報取得手段で取得した編集情報に基づいて、前記番組情報記憶手段のなかから前記番組情報を検索するようになっていることを特徴とする番組編集システム。
【請求項４】
請求項２及び３のいずれかにおいて、
前記収録物の内容を再生可能な番組収録データを記憶する番組収録データ記憶手段が利用可能となった場合に、前記番組収録データ記憶手段の番組収録データを用いて番組を編集するようになっており、
前記番組編集手段は、前記番組情報検索手段で索出した番組情報に基づいて前記番組収録データ記憶手段のなかから前記番組収録データを取得し、取得した番組収録データを用いて前記提供番組に関する番組収録データを作成するようになっていることを特徴とする番組編集システム。
【請求項５】
請求項２乃至４のいずれかにおいて、
前記他対象情報は、話題性に関する話題性情報であり、
前記他対象情報記憶手段は、前記話題性情報を記憶する話題性情報記憶手段であることを特徴とする番組編集システム。
【請求項６】
請求項５において、
前記番組情報検索手段は、前記ユーザ情報記憶手段のユーザ情報及び前記話題性情報記憶手段の話題性情報に基づいて、ユーザの嗜好又は興味及び話題性に適合した番組情報を前記番組情報記憶手段のなかから検索するようになっていることを特徴とする番組編集システム。
【請求項７】
請求項６において、
前記番組情報検索手段は、前記優先度情報取得手段で取得した優先度情報に基づいて、ユーザの嗜好又は興味に適合した番組情報と、話題性に適合した番組情報との割合を調整するようになっていることを特徴とする番組編集システム。
【請求項８】
請求項５乃至７のいずれかにおいて、
前記番組情報検索手段は、前記番組情報記憶手段から前記番組情報を読み出し、読み出した番組情報及び前記ユーザ情報記憶手段のユーザ情報に基づいて、その番組情報についてのユーザの嗜好又は興味の度合いを示す嗜好値を算出し、前記読み出した番組情報及び前記話題性情報記憶手段の話題性情報に基づいて、その番組情報についての話題性の度合いを示す話題性値を算出し、前記番組情報記憶手段の他の番組情報についても、前記読出、前記嗜好値の算出及び前記話題性値の算出を行い、
前記番組情報を、前記嗜好値及び前記話題性値を考慮して算出した適合値の高いものから順に検索するようになっていることを特徴とする番組編集システム。
【請求項９】
請求項８において、
前記番組情報検索手段は、前記優先度情報取得手段で取得した優先度情報に基づいて、算出した嗜好値及び話題性値に対してそれぞれ重み付け演算を行って適合値を算出し、前記番組情報記憶手段の他の番組情報についても、前記適合値の算出を行うようになっていることを特徴とする番組編集システム。
【請求項１０】
請求項８及び９のいずれかにおいて、
前記優先度情報は、索出される全番組情報のうちユーザの嗜好又は興味に適合したものが占める嗜好占有割合と、索出される全番組情報のうち話題性に適合したものが占める話題性占有割合とを含み、
前記番組情報検索手段は、前記優先度情報取得手段で取得した優先度情報に基づいて、前記嗜好占有割合に応じた係数を前記嗜好値に乗算するとともに前記話題性占有割合に応じた係数を前記話題性値に乗算し、それら乗算結果を加算することにより前記適合値を算出するようになっていることを特徴とする番組編集システム。
【請求項１１】
請求項８乃至１０のいずれかにおいて、
前記ユーザ情報記憶手段は、嗜好又は興味の対象となり得る特定の内容を代表的に示す代表嗜好対象情報に対して、当該特定の内容についてのユーザの嗜好又は興味の度合いを示す嗜好度合を対応付けて前記ユーザ情報として記憶するようになっており、
前記話題性情報記憶手段は、話題性の対象となり得る特定の内容を代表的に示す代表話題性対象情報に対して、当該特定の内容についての話題性の度合いを示す話題性度合を対応付けて前記話題性情報として記憶するようになっており、
前記番組情報検索手段は、前記読み出した番組情報に含まれる前記代表嗜好対象情報の個数又は確率的特徴量を算出し、前記算出した個数又は確率的特徴量に前記ユーザ情報の嗜好度合を乗算することにより前記嗜好値を算出し、前記読み出した番組情報に含まれる前記代表話題性対象情報の個数又は確率的特徴量を算出し、前記算出した個数又は確率的特徴量に前記話題性情報の話題性度合を乗算することにより前記話題性値を算出するようになっていることを特徴とする番組編集システム。
【請求項１２】
請求項１１において、
前記代表嗜好対象情報は、嗜好又は興味の対象となり得る特定の内容を代表的に示す語句であり、
前記代表話題性対象情報は、話題性の対象となり得る特定の内容を代表的に示す語句であることを特徴とする番組編集システム。
【請求項１３】
請求項５乃至１２のいずれかにおいて、
前記番組情報を記憶する外部番組情報記憶手段が利用可能となった場合に、前記外部番組情報記憶手段の番組情報に基づいて前記話題性情報記憶手段の話題性情報を更新するようになっており、
前記外部番組情報記憶手段から前記番組情報を取得する番組情報取得手段と、所定の抽出規則に基づいて前記番組情報取得手段で取得した番組情報から前記話題性情報を抽出する話題性情報抽出手段と、前記話題性情報抽出手段で抽出した話題性情報に基づいて前記話題性情報記憶手段の話題性情報を更新する話題性情報更新手段とを備えることを特徴とする番組編集システム。
【請求項１４】
請求項１３において、
前記所定の抽出規則を記憶する抽出規則記憶手段が利用可能となった場合に、前記抽出規則記憶手段の抽出規則に基づいて前記話題性情報を抽出するようになっており、
前記話題性情報抽出手段は、前記抽出規則記憶手段の抽出規則に基づいて、前記番組情報取得手段で取得した番組情報から前記話題性情報を抽出するようになっていることを特徴とする番組編集システム。
【請求項１５】
請求項１３及び１４のいずれかにおいて、
前記抽出規則は、話題性の対象となり得る特定の内容を代表的に示す代表話題性対象情報を含み、
前記話題性情報抽出手段は、前記番組情報取得手段で取得した番組情報における前記代表話題性対象情報の位置又は順位に基づいて、前記話題性情報を抽出するようになっていることを特徴とする番組編集システム。
【請求項１６】
請求項１３及び１４のいずれかにおいて、
前記抽出規則は、話題性の対象となり得る特定の内容を代表的に示す代表話題性対象情報を含み、
前記話題性情報抽出手段は、前記代表話題性対象情報が、前記番組情報取得手段で取得した番組情報に含まれる個数又は確率的特徴量を算出し、算出した個数又は確率的特徴量に基づいて前記話題性情報を抽出するようになっていることを特徴とする番組編集システム。
【請求項１７】
請求項１３乃至１６のいずれかにおいて、
前記話題性情報更新手段は、前記話題性情報抽出手段で抽出した話題性情報の時間的変化を考慮して、前記話題性情報記憶手段の話題性情報を更新するようになっていることを特徴とする番組編集システム。
【請求項１８】
請求項１７において、
前記話題性情報更新手段は、前記話題性情報抽出手段で抽出した話題性情報が前記更新に寄与する影響を、過去に向けて現在から遠いものほど小さくし、現在に近いものほど大きくするようになっていることを特徴とする番組編集システム。
【請求項１９】
請求項１８において、
前記話題性情報更新手段は、更新対象となる話題性情報が前記更新に寄与する影響の度合いが、前記話題性情報抽出手段で抽出した話題性情報が前記更新に寄与する影響の度合いよりも小さくなるように、前記更新対象となる話題性情報を演算し、演算した話題性情報及び前記話題性情報抽出手段で抽出した話題性情報に基づいて、前記更新対象となる話題性情報を更新するようになっていることを特徴とする番組編集システム。
【請求項２０】
請求項１３乃至１９のいずれかにおいて、
異なる形式の番組情報を記憶する複数の外部番組情報記憶手段が利用可能となった場合に、前記外部番組情報記憶手段の番組情報に基づいて前記話題性情報記憶手段の話題性情報を更新するようになっており、
前記番組情報取得手段で取得した番組情報を所定形式の番組情報に変換する番組形式変換手段を備え、
前記話題性情報抽出手段は、前記所定の抽出規則に基づいて前記番組形式変換手段で変換した所定形式の番組情報から前記話題性情報を抽出するようになっていることを特徴とする番組編集システム。